(57)【要約】【課題】  卸業において、仕入先への直送依頼する業務の煩雑化を解消でき、直送条件の知識を有する管理者がいなくても効率的な直送依頼の業務が実現できる。【解決手段】  受注装置から受注ファイルを取得する手段と、在庫装置から在庫ファイルを取得する手段と、直送予定受注ファイルを作成する手段と、直送予定受注サマリファイルを作成する手段と、直送予定受注サマリファイルのレコードを更新する手段と、仕入先別受注ファイルを作成する手段と、直送予定ファイルを作成する手段と、直送発注ファイルを作成する手段と、発注装置に直送発注ファイルを送信する手段とを有し、複数の商品を受注した場合、複数の商品を合算して直送の切り替えを判定する。【選択図】  図１
2005071190.tif 000002
【特許請求の範囲】
【請求項１】
オンラインにより取得した、商品の受注情報である受注ファイルを保持する受注装置と、
前記商品の在庫情報である在庫ファイルを保持する在庫装置と、
前記商品の直送発注を仕入先に対して行う発注装置と、ネットワークを介して接続された直送発注装置であって、
前記受注装置から前記受注ファイルを取得する受注ファイル取得手段と、
前記在庫装置から在庫ファイルを取得する在庫ファイル取得手段と、
前記受注ファイルを配送日の早い順にレコードを入力し、前記入力したレコードの商品コードと一致するレコードを前記在庫ファイルから取得し、前記在庫ファイルから取得したレコードの在庫数から前記受注ファイルの受注数を減算して算出した在庫数を含む、直送予定受注ファイルを作成する直送予定受注作成手段と、
前記直送予定受注ファイルのレコードを入力し、商品コード、得意先コード、及び配送日別に受注数を合算した直送予定受注サマリファイルを作成する直送予定受注サマリ作成手段と、
前記直送予定受注サマリファイルのレコードを商品コード順に入力し、前記入力したレコードと一致する商品コードを格納している商品マスタのレコードを入力し、仕入先コードと重量を取得し、同一商品ごとに取得した仕入先コードと、総重量とを付加して前記直送予定受注サマリファイルのレコードを更新する直送予定受注サマリ更新手段と、
前記直送予定受注サマリファイルのレコードを入力し、得意先コード、配送日、仕入先コード別に受注数の合算および総重量の合算をして仕入先別受注ファイルを作成する仕入先別受注作成手段と、
前記仕入先別受注ファイルを入力し、入力した仕入先コードと一致する仕入先マスタを入力して、配送日迄の所要日数を満たした直送条件である重量を超過している、または直送条件である数量を超過している場合には、前記入力した仕入先別受注ファイルのレコードを直送予定ファイルに出力する直送予定作成手段と、
前記直送予定ファイルを入力し、入力したレコードの得意先コード、配送日、仕入先コードと一致するレコードを有する前記直送予定受注サマリファイルを全件取得し、取得したレコードを直送発注ファイルに出力する直送発注作成手段と、
前記発注装置に前記直送発注ファイルを送信する直送発注送信手段と、を有し、
前記複数の商品を受注した場合、前記複数の商品を合算して直送の切り替えを判定することを特徴とする直送発注装置。
【請求項２】
前記受注ファイルは、前記商品を受注した得意先を特定するための得意先コード、前記受注した商品を示す商品コード、前記受注した商品数を格納した受注数、及び前記受注した商品を前記得意先に配送する配送日のうち少なくとも１つの情報を含むことを特徴とする請求項１記載の直送発注装置。
【請求項３】
前記在庫ファイルは、前記商品を特定する商品コード、前記商品の現在在庫数、及び前記仕入先に対して既に発注依頼済みの入荷予定数を合算した在庫数のうち少なくとも１つの情報を含むことを特徴とする請求項１記載の直送発注装置。
【請求項４】
前記直送予定受注作成手段は、算出した在庫数が０以上となる場合、前記算出した在庫数を反映した結果で前記在庫ファイルから取得したレコードを更新し、前記算出した在庫数がマイナスとなる場合、前記直送予定受注ファイルに入力した前記受注ファイルのレコードを出力することを特徴とする請求項１記載の直送発注装置。
【請求項５】
前記総重量は、前記直送予定受注サマリファイルのレコ−ドの受注数と前記商品マスタの重量の集計値であることを特徴とする請求項１記載の直送発注装置。
【請求項６】
商品の受注情報である受注ファイルを保持する受注装置と、
前記商品の在庫情報である在庫ファイルを保持する在庫装置と、
前記商品の直送発注を仕入先に対して行う発注装置と、ネットワークを介して接続された直送発注装置が行う直送発注方法であって、
前記受注装置から前記受注ファイルを取得する受注ファイル取得工程と、
前記在庫装置から在庫ファイルを取得する在庫ファイル取得工程と、
前記受注ファイルを配送日の早い順にレコードを入力し、前記入力したレコードの商品コードと一致するレコードを前記在庫ファイルから取得し、前記在庫ファイルから取得したレコードの在庫数から前記受注ファイルの受注数を減算して算出した在庫数を含む、直送予定受注ファイルを作成する直送予定受注作成工程と、
前記直送予定受注ファイルのレコードを入力し、商品コード、得意先コード、配送日別に受注数を合算した直送予定受注サマリファイルを作成する直送予定受注サマリ作成工程と、
前記直送予定受注サマリファイルのレコードを商品コード順に入力し、前記入力したレコードと一致する商品コードを格納している商品マスタのレコードを入力し、仕入先コードと重量を取得し、同一商品ごとに取得した仕入先コードと総重量を付加して前記直送予定受注サマリファイルのレコードを更新する直送予定受注サマリ更新工程と、
前記直送予定受注サマリファイルのレコードを入力し、得意先コード、配送日、仕入先コード別に受注数の合算および総重量の合算して仕入先別受注ファイルを作成する仕入先別受注作成工程と、
前記仕入先別受注ファイルを入力し、入力した仕入先コードと一致する仕入先マスタを入力して、配送日迄の所要日数を満たし直送条件である重量を超過している、または直送条件である数量を超過している場合には、前記入力した仕入先別受注ファイルのレコードを直送予定ファイルに出力する直送予定作成工程と、
前記直送予定ファイルを入力し、入力したレコードの得意先コード、配送日、仕入先コードと一致するレコードを有する前記直送予定受注サマリファイルを全件取得し、取得したレコードを直送発注ファイルに出力する直送発注作成工程と、
前記発注装置に前記直送発注ファイルを送信する直送発注送信工程と、を有し、
前記複数の商品を受注した場合、前記複数の商品を合算して直送の切り替えを判定することを特徴とする直送発注方法。
【請求項７】
前記受注ファイルは、前記商品を受注した得意先を特定するための得意先コード、前記受注した商品を示す商品コード、前記受注した商品数を格納した受注数、及び前記受注した商品を前記得意先に配送する配送日のうち少なくとも１つの情報を含むことを特徴とする請求項６記載の直送発注方法。
【請求項８】
前記在庫ファイルは、前記商品を特定する商品コード、前記商品の現在在庫数、及び前記仕入先に対して既に発注依頼済みの入荷予定数を合算した在庫数のうち少なくとも１つの情報を含むことを特徴とする請求項６記載の直送発注方法。
【請求項９】
前記直送予定受注作成工程は、算出した在庫数が０以上となる場合、前記算出した在庫数を反映した結果で前記在庫ファイルから取得したレコードを更新し、前記算出した在庫数がマイナスとなる場合、前記直送予定受注ファイルに入力した前記受注ファイルのレコードを出力することを特徴とする請求項６記載の直送発注方法。
【請求項１０】
前記総重量は、前記直送予定受注サマリファイルのレコ−ドの受注数と前記商品マスタの重量の集計値であることを特徴とする請求項６記載の直送発注方法。
【発明の詳細な説明】
【技術分野】
【０００１】
本発明は、卸業に関し、詳しくは、複数の商品を得意先から受注した場合に、複数の商品をまとめて仕入先から得意先へ直送依頼する直送発注装置及び直送発注方法に関する。
【背景技術】
【０００２】
従来のシステムでは、商品ごとに受注数、在庫量、入庫予定数から、商品を発注した得意先へ仕入先から直送するかどうかを判断していた。そのため、１つの商品で特定数量（仕入先が設定した直送可能な数量または重量）を超えた場合は、商品を自動的に直送発注できたが、仕入先ごとで複数の商品を合算した総受注数量や総受注重量による直送条件を判断し、直送発注を仕入先に依頼する業務には人手による判断が必要であった。
【０００３】
また、従来より、卸売業の直送システム開発の顧客業務ヒアリングにおいて、「仕入先から得意先へ直送依頼するか自社の在庫を利用して得意先へ出荷するかの判断作業が自動化されていないため自社在庫を利用して出荷する事が多く、受注数が増加しても在庫量の増加（倉庫拡張）、出荷作業の増加（人件費拡大）により利益増大に必ずしもならない」といった問題点が提示されていたため、直送業務の効率化を向上することを目的とするものが望まれていた。
【０００４】
従来技術例として、顧客からメーカへの商品直送による販売形態を効率よく実現する「商品発注方法」がある（例えば、特許文献１参照）。
【特許文献１】特開平１１−９６２４０号公報
【発明の開示】
【発明が解決しようとする課題】
【０００５】
しかしながら、上記特許文献１記載の発明は、直送に切り替える判定を商品単位に行っているので、仕入先メーカが、直送を受け付ける最低数量である直送条件を設定している場合には、商品単位に直送依頼をメーカにしても直送条件を満たさないと直送されないという問題がある。
【０００６】
本発明は、上記事情に鑑みてなされたものであり、卸業において、複数商品を合算して直送の切り替えを判定することにより、仕入先への直送依頼する業務の煩雑化を解消し、また、直送条件の知識を有した管理者がいなくても効率的な直送依頼の業務が実現できる直送発注装置及び直送発注方法を提供することを目的とする。
【課題を解決するための手段】
【０００７】
かかる目的を達成するために、請求項１記載の発明は、オンラインにより取得した、商品の受注情報である受注ファイルを保持する受注装置と、商品の在庫情報である在庫ファイルを保持する在庫装置と、商品の直送発注を仕入先に対して行う発注装置と、ネットワークを介して接続された直送発注装置であって、受注装置から受注ファイルを取得する受注ファイル取得手段と、在庫装置から在庫ファイルを取得する在庫ファイル取得手段と、受注ファイルを配送日の早い順にレコードを入力し、入力したレコードの商品コードと一致するレコードを在庫ファイルから取得し、在庫ファイルから取得したレコードの在庫数から受注ファイルの受注数を減算して算出した在庫数を含む、直送予定受注ファイルを作成する直送予定受注作成手段と、直送予定受注ファイルのレコードを入力し、商品コード、得意先コード、及び配送日別に受注数を合算した直送予定受注サマリファイルを作成する直送予定受注サマリ作成手段と、直送予定受注サマリファイルのレコードを商品コード順に入力し、入力したレコードと一致する商品コードを格納している商品マスタのレコードを入力し、仕入先コードと重量を取得し、同一商品ごとに取得した仕入先コードと、総重量とを付加して直送予定受注サマリファイルのレコードを更新する直送予定受注サマリ更新手段と、直送予定受注サマリファイルのレコードを入力し、得意先コード、配送日、仕入先コード別に受注数の合算および総重量の合算をして仕入先別受注ファイルを作成する仕入先別受注作成手段と、仕入先別受注ファイルを入力し、入力した仕入先コードと一致する仕入先マスタを入力して、配送日迄の所要日数を満たした直送条件である重量を超過している、または直送条件である数量を超過している場合には、入力した仕入先別受注ファイルのレコードを直送予定ファイルに出力する直送予定作成手段と、直送予定ファイルを入力し、入力したレコードの得意先コード、配送日、仕入先コードと一致するレコードを有する直送予定受注サマリファイルを全件取得し、取得したレコードを直送発注ファイルに出力する直送発注作成手段と、発注装置に直送発注ファイルを送信する直送発注送信手段と、を有し、複数の商品を受注した場合、複数の商品を合算して直送の切り替えを判定することを特徴とする
【０００８】
請求項２記載の発明は、請求項１記載の発明において、受注ファイルは、商品を受注した得意先を特定するための得意先コード、受注した商品を示す商品コード、受注した商品数を格納した受注数、及び受注した商品を得意先に配送する配送日のうち少なくとも１つの情報を含むことを特徴とする。
【０００９】
請求項３記載の発明は、請求項１記載の発明において、在庫ファイルは、商品を特定する商品コード、商品の現在在庫数、及び仕入先に対して既に発注依頼済みの入荷予定数を合算した在庫数のうち少なくとも１つの情報を含むことを特徴とする。
【００１０】
請求項４記載の発明は、請求項１記載の発明において、直送予定受注作成手段は、算出した在庫数が０以上となる場合、算出した在庫数を反映した結果で在庫ファイルから取得したレコードを更新し、算出した在庫数がマイナスとなる場合、直送予定受注ファイルに入力した受注ファイルのレコードを出力することを特徴とする。
【００１１】
請求項５記載の発明は、請求項１記載の発明において、総重量は、直送予定受注サマリファイルのレコ−ドの受注数と商品マスタの重量の集計値であることを特徴とする。
【００１２】
請求項６記載の発明は、商品の受注情報である受注ファイルを保持する受注装置と、商品の在庫情報である在庫ファイルを保持する在庫装置と、商品の直送発注を仕入先に対して行う発注装置と、ネットワークを介して接続された直送発注装置が行う直送発注方法であって、受注装置から受注ファイルを取得する受注ファイル取得工程と、在庫装置から在庫ファイルを取得する在庫ファイル取得工程と、受注ファイルを配送日の早い順にレコードを入力し、入力したレコードの商品コードと一致するレコードを在庫ファイルから取得し、在庫ファイルから取得したレコードの在庫数から受注ファイルの受注数を減算して算出した在庫数を含む、直送予定受注ファイルを作成する直送予定受注作成工程と、直送予定受注ファイルのレコードを入力し、商品コード、得意先コード、配送日別に受注数を合算した直送予定受注サマリファイルを作成する直送予定受注サマリ作成工程と、直送予定受注サマリファイルのレコードを商品コード順に入力し、入力したレコードと一致する商品コードを格納している商品マスタのレコードを入力し、仕入先コードと重量を取得し、同一商品ごとに取得した仕入先コードと総重量を付加して直送予定受注サマリファイルのレコードを更新する直送予定受注サマリ更新工程と、直送予定受注サマリファイルのレコードを入力し、得意先コード、配送日、仕入先コード別に受注数の合算および総重量の合算して仕入先別受注ファイルを作成する仕入先別受注作成工程と、仕入先別受注ファイルを入力し、入力した仕入先コードと一致する仕入先マスタを入力して、配送日迄の所要日数を満たし直送条件である重量を超過している、または直送条件である数量を超過している場合には、入力した仕入先別受注ファイルのレコードを直送予定ファイルに出力する直送予定作成工程と、直送予定ファイルを入力し、入力したレコードの得意先コード、配送日、仕入先コードと一致するレコードを有する直送予定受注サマリファイルを全件取得し、取得したレコードを直送発注ファイルに出力する直送発注作成工程と、発注装置に直送発注ファイルを送信する直送発注送信工程と、を有し、複数の商品を受注した場合、複数の商品を合算して直送の切り替えを判定することを特徴とする。
【００１３】
請求項７記載の発明は、請求項６記載の発明において、受注ファイルは、商品を受注した得意先を特定するための得意先コード、受注した商品を示す商品コード、受注した商品数を格納した受注数、及び受注した商品を得意先に配送する配送日のうち少なくとも１つの情報を含むことを特徴とする。
【００１４】
請求項８記載の発明は、請求項６記載の発明において、在庫ファイルは、商品を特定する商品コード、商品の現在在庫数、及び仕入先に対して既に発注依頼済みの入荷予定数を合算した在庫数のうち少なくとも１つの情報を含むことを特徴とする。
【００１５】
請求項９記載の発明は、請求項６記載の発明において、直送予定受注作成工程は、算出した在庫数が０以上となる場合、算出した在庫数を反映した結果で在庫ファイルから取得したレコードを更新し、算出した在庫数がマイナスとなる場合、直送予定受注ファイルに入力した受注ファイルのレコードを出力することを特徴とする。
【００１６】
請求項１０記載の発明は、請求項６記載の発明において、総重量は、直送予定受注サマリファイルのレコ−ドの受注数と商品マスタの重量の集計値であることを特徴とする。
【発明の効果】
【００１７】
本発明によれば、第１の効果として、複数商品をまとめて直送に切り替えるので、仕入先への直送依頼する業務の煩雑化を解消し、また、直送条件の知識を有した管理者がいなくても効率的な直送依頼の業務が実現でき、直送比率（自倉庫から出荷しない数／自倉庫からの出荷数＋メーカからの直送数）の増加を実現できる。
【００１８】
第２の効果として、得意先から受注した商品を仕入先から得意先へ直送すること自動的に行え、自らが保有する在庫量の削減、出荷作業の削減、運送コストの削減を実現できる。
【発明を実施するための最良の形態】
【００１９】
以下、本発明を実施するための最良の形態について添付図面を参照して詳細に説明する。
【実施例１】
【００２０】
本発明の実施例である直送発注装置の構成について図１を参照して説明する。
図１に示すように、受注装置２１、直送発注装置２２、在庫装置２３、発注装置２４、ファイル取得部２２１、受注ファイル２２２、在庫ファイル取得部２２３、在庫ファイル２２４、直送予定受注作成部２２５、直送予定受注ファイル２２６、直送予定受注サマリ作成部２２７、直送予定サマリファイル２２８、直送予定受注サマリ更新部２２９、商品マスタ２２１０、仕入先別受注作成部２２１１、仕入先別受注ファイル２２１２、直送予定作成部２２１３、直送予定ファイル２２１４、仕入先マスタ２２１５、直送発注作成部２２１６、直送発注ファイル２２１７、直送発注送信部２２１８で構成されている。
【００２１】
次に、本発明の実施例の動作について詳細に説明する。
本発明の実施例では、図２の１に示すように商品マスタに商品ごとの重量を設定し、仕入先から得意先への複数商品を同時に直送するための条件を、図２の２に示すように仕入先マスタの直送可能数、直送可能重量に設定する。ここで、商品マスタは、図１の受注装置２１、直送発注装置２２、在庫装置２３、発注装置２４で共通的に商品を識別するためのコードである商品コード、図１の直送発注装置２２、発注装置２４で仕入先を特定するためのコードである仕入先コード、商品１個あたりの重さを示す重量、を含む。また、仕入先マスタは、上述の仕入先コードの他に、仕入先から得意先へ直送できる商品数の合計である直送可能数、仕入先から得意先へ直送できる商品の総重量である直送可能重量、仕入先へ直送の依頼を行ってから得意先へ納品するまでに必要な日数である所要日数、を含む。
【００２２】
図１に示す本実施例の直送発注装置２２は、まず受注ファイル取得部２２１によりネットワーク等で接続された受注装置２１から受注装置２１がオンライン等により取得した受注情報である受注ファイル２２２を取得する。受注ファイル２２２には、図１の受注装置２１、直送発注装置２２、発注装置２４で共通的に得意先を識別するためのコードであり、受注した得意先を特定するための得意先コードと、図１の受注装置２１、直送発注装置２２、在庫装置２３、発注装置２４で共通的に商品を識別するためのコードであり、受注した商品を示す商品コードと、受注した商品数を格納した受注数と、受注した商品を得意先に配送する配送日とを含んでいる。
【００２３】
次に在庫ファイル取得部２２３により、ネットワーク等により接続された在庫装置２３から在庫ファイル２２４を取得する。在庫ファイル２２４は、少なくとも商品を特定する商品コードと、商品の現在在庫数と、既に仕入先に対して発注依頼済みの入荷予定数を合算した在庫数とを備えている。在庫ファイル２２４の一例を図３の４に示す。在庫ファイルは、図１の受注装置２１、直送発注装置２２、在庫装置２３、発注装置２４で共通的に商品を識別するためのコードであり、受注した商品を示す商品コードと、現在倉庫に保管している商品の数を示す現在在庫数と、倉庫には現在存在しないが発注済みでいずれ入荷する商品の数を示す入庫予定数と、現在在庫数と入庫予定数の和から出荷される予定数を減算した数を示す在庫数、を含む。
【００２４】
次に直送予定受注作成部２２５により、受注ファイル２２２を配送日の早い順にレコードを入力し、入力したレコードの商品コードと一致するレコードを在庫ファイル２２４から取得し、在庫ファイル２２４から取得したレコードの在庫数から受注ファイル２２２の受注数を減算して在庫数を算出する。算出した在庫数が０以上となる場合、算出した在庫数を反映した結果で在庫ファイル２２４から取得したレコードを更新する。算出した在庫数がマイナスとなる場合、直送予定受注ファイル２２６に入力した受注ファイル２２２のレコードを出力する。直送予定受注ファイル２２６の一例を図３の５に示す。直送予定受注ファイルは、図１の受注装置２１、直送発注装置２２、発注装置２４で共通的に得意先を識別するためのコードであり、受注した得意先を特定するための得意先コードと、図１の受注装置２１、直送発注装置２２、在庫装置２３、発注装置２４で共通的に商品を識別するためのコードであり、受注した商品を示す商品コードと、受注した商品数を格納した受注数と、商品を配達する日である配送日、を含む。
【００２５】
次に直送予定受注サマリ作成部２２７により、直送予定受注ファイル２２６のレコードを入力し、商品コード，得意先コード，配送日別に受注数を合算した直送予定受注サマリファイル２２８を作成する。直送予定サマリ受注ファイル２２８の一例を図３の６に示す。直送予定サマリ受注ファイルは、上述の得意先コード、商品コード、受注数、配送日、仕入先コードに加え、商品の総重量を示す総重量、を含む。
【００２６】
次に直送予定受注サマリ更新部２２９により、直送予定受注サマリファイル２２８のレコードを商品コード順に入力し入力したレコードと一致する商品コードを格納している商品マスタ２２１０のレコードを入力し、仕入先コードと重量を取得し、同一商品ごとに取得した仕入先コードと総重量（直送予定受注サマリファイル２２８のレコ−ドの受注数に商品マスタ２２１０の重量の集計値）を付加して直送予定受注サマリファイル２２８のレコードを更新する。
【００２７】
次に仕入先別受注作成部２２１１により、直送予定受注サマリファイル２２８のレコードを入力し，得意先コード、配送日、仕入先コード別に受注数の合算および総重量の合算して仕入先別受注ファイル２２１２を作成する。仕入先別受注ファイル２２１２の一例を図４の７に示す。仕入先別受注ファイルは、上述の得意先コード、受注数、配送日、仕入先コード、及び総重量、を含む。
【００２８】
次に直送予定作成部２２１３により、仕入先別受注ファイル２２１２を入力し、入力した仕入先コードと一致する仕入先マスタ２２１５を入力して、配送日迄の所要日数を満たした直送条件である重量を超過している、または直送条件である数量を超過している場合には、入力した仕入先別受注ファイル２２１２のレコードを直送予定ファイル２２１４に出力する。仕入先別受注ファイル２２１４の一例を図４の８に示す。直送予定ファイルは、上述の得意先コード、受注数、配送日、及び仕入先コード、を含む。
【００２９】
次に直送発注作成部２２１６により、直送予定ファイル２２１４を入力し、入力したレコードの得意先コード、配送日、仕入先コードと一致するレコードをもつ直送予定サマリファイル２２８を全件取得し、取得したレコードを直送発注ファイル２２１７に出力する。仕入先別受注ファイル２２１７の一例を図４の９に示す。仕入先別受注ファイルは、上述の得意先コード、商品コード、受注数、配送日、及び仕入先コード、を含む。
【００３０】
次に直送発注送信部２２１８により、ネットワーク等により接続された発注装置２４に直送発注ファイル２２１７を引き渡し、発注装置２４から直送発注が仕入先に対して行われる。
【実施例２】
【００３１】
次に本発明の実施例２について説明する。直送発注は、図２の２に示すように仕入先マスタの直送可能数、直送可能重量の条件設定をすることにより可能となる。さらに、直送条件の変更が発生した場合にも、図２の２に示すように仕入先マスタの数量条件、重量条件を変更することで容易に直送条件の変更が可能である。
【００３２】
以上、本発明の実施例によれば、仕入先メーカ単位（複数商品を合算して）で直送の切り替えを判定するので、仕入先メーカが直送を受け付ける最低数量である直送条件を設定している場合に、商品単位に直送依頼をメーカにしても直送条件を満たさないと直送されないという問題を解消でき、直送比率（自倉庫から出荷しない数／自倉庫からの出荷数＋メーカからの直送数）の増加が図れる。よって、複数商品をまとめて仕入先から得意先へ直送依頼でき、また、直送条件を容易に変更できる。また、本発明の実施例は上記形態に限定されるものではなく、その要旨を逸脱しない範囲で種々変更可能である。
【図面の簡単な説明】
【００３３】
【図１】本発明の実施例である直送発注装置の構成を示す概略図である。
【図２】本発明の実施例に係るファイルの内容例を示す説明図である。
【図３】本発明の実施例に係るファイルの内容例を示す説明図である。
【図４】本発明の実施例に係るファイルの内容例を示す説明図である。
【符号の説明】
【００３４】
２１    受注装置
２２    直送発注装置
２３    在庫装置
２４    発注装置
２２１    受注ファイル取得部
２２２    受注ファイル
２２３    在庫ファイル取得部
２２４    在庫ファイル
２２５    直送予定受注作成部
２２６    直送予定受注ファイル
２２７    直送予定受注サマリ作成部
２２８    直送予定サマリファイル
２２９    直送予定受注サマリ更新部
２２１０    商品マスタ
２２１１    仕入先別受注作成部
２２１２    仕入先別受注ファイル
２２１３    直送予定作成部
２２１４    直送予定ファイル
２２１５    仕入先マスタ
２２１６    直送発注作成部
２２１７    直送発注ファイル
２２１８    直送発注送信部
【図１】
2005071190.tif 000003
【図２】
2005071190.tif 000004
【図３】
2005071190.tif 000005
【図４】
2005071190.tif 000006